(57)【特許請求の範囲】
【請求項１】
テレビジョン受信機において、
画像信号とサービス情報信号とを含むデジタルテレビジョン信号を受信するチューナと、
前記チューナで受信された画像信号とサービス情報信号とを復調するデジタル復調器と、
前記デジタル復調器で復調された画像信号とサービス情報信号とをデコードするデジタルデコーダと、
前記デコードされた画像信号に対応する第１の画像と前記デコードされたサービス情報信号に対応する第２の画像とが重畳されて表示され得る表示部と、
前記第１の画像と前記第２の画像との重畳期間を検出し、該重畳期間を示す制御信号を出力する検出手段と、
表示画像の色の濃さを調整するためのユーザ調整回路と、
前記検出手段からの制御信号に基づいて、前記重畳期間において前記ユーザ調整回路によるユーザ調整を防止する防止手段と、
を有することを特徴とするテレビジョン受信機。
【請求項２】
請求項１に記載のテレビジョン受信機において、前記デジタルデコーダが前記検出手段を含むことを特徴とするテレビジョン受信機。
【請求項３】
テレビジョン受信機において、
デジタルテレビジョン信号として、画像信号とサービス情報信号とを受信するチューナと、
前記チューナで受信された画像信号とサービス情報信号とを復調するデジタル復調器と、
前記デジタル復調器で復調された画像信号とサービス情報信号とをデコードするデジタルデコーダと、
前記デコードされた画像信号に対応する第１の画像と前記デコードされたサービス情報信号に対応する第２の画像とが重畳されて表示され得る表示部と、
表示画像の色の濃さを調整するためのユーザ調整回路と、
前記表示部に前記第１の画像と前記第２の画像とが重畳されて表示されているときは、該第２の画像に対して前記ユーザ調整回路によるユーザ調整を防止する防止手段と
を有することを特徴とするテレビジョン受信機。
【請求項４】
前記第２の画像は、電子番組ガイドであることを特徴とする請求項１乃至３のいずれかに記載のテレビジョン受信機。
【発明の詳細な説明】
【０００１】
本発明は、映像表示装置に係り、例えばElectronic Program Guide（ＥＰＧ）等のサービス情報を表示可能な表示装置における画質調整の技術に関する。
【０００２】
【従来の技術】
図６を参照して従来のテレビ受信機を説明する。図６は、従来のテレビ受信機の略示ブロック回路図である。図６において、画像信号（以下、ＰＩ信号という）は、アナログ信号で、アンテナ２０で受信された電波信号がチューナ１、ＩＦ回路２を経て、復調回路３ａに入力され、次で、ビデオ７・クロマ処理回路７で処理がなされていた。
【０００３】
一方、ＥＰＧ、ＰＰＶ（Ｐａｙ  Ｐｅｒ  Ｖｉｅｗ）等の画像情報、すなわち、Ｓｅｒｖｉｃｅ  Ｉｎｆｏｒｍａｔｉｏｎ（以下、ＳＩという）信号は、ディジタル信号であり、マイコンＭ等で前記ＰＩ信号とは別個に製作され、増幅され、オン  スクリーン  デイプレイ信号として伝送されていた。したがって、ＰＩ信号とＳＩ信号とは復調等が別々に行われていた。
【０００４】
前記別々に復調したＰＩ信号及びＳＩ信号は、重畳部１０で重畳され、出力器９を経て出力信号として、表示部１１に入力して表示されていた。このような方式の従来のテレビ受信機では、画像の画質調整は、重畳部１０の重畳前に前記ビデオ・クロマト処理回路７の画質調整回路７ａで調整部Ｒａ、具体的には「ツマミ」をユーザ−が調整することによりコントロールが行われており、そのため、画像情報表示と画像の画質とは全く無関係であった。
【０００５】
また、ＳＩ信号を表示するオン  スクリーン回路としては、種々の方式が実用化されており、色出力をシャントする表示文字信号挿入回路方式、色出力へのＹ入力をオンスクリーンＲＧＢに切り替えてＳＩ信号を表示する回路等の方式があった。
【０００６】
【発明が解決しようとする課題】
上記画像情報表示と画像の画質調整とは、全く無関係のシステムでは、ユーザがＳＩ表示をコントロールできないため、周囲の状況に応じた輝度で、ＳＩ表示ができないことがあるという問題があったが、ユーザが誤った調整で前記ＳＩ表示が出なくなるという恐れはなかった。
【０００７】
一方、近時、例えば、デジタル放送対応テレビにおけるＰＩ信号とＳＩ信号との重畳を説明する。
前記ＰＩ信号とＳＩ信号は、例えばＭＰＥＧ等のデジタル圧縮伝送方式では混合され、同時に伝送・受信され、アンテナ２０、チューナ１、ディジタル復調回路３を経て、ディジタルデコーダ４で復号化され、ビデオ・クロマ処理７で処理が行われ、出力・表示されていた。この方式では、画質調整は前記混合された信号にビデオ・クロマ処理回路７で行われる。
【０００８】
このシステムでは、画質調整回路の影響を受け、ＳＩ表示が消失する恐れが生じるという問題がある。
今後、デジタル放送がますます増加する傾向にあるので、このＳＩ表示が消失することに対応するＳＩ情報の制御がますます重大な問題となるという予測がされる。
【０００９】
本発明は、上記従来技術の問題点に鑑みてなされたものであり、その目的は、ユーザにより画質調整が可能なテレビジョン受信機において、ユーザによる画質調整が為されてもＳＩ信号を見やすく表示させるための技術を提供することにある。
【００１０】
【課題を解決するための手段】
上記目的を達成するために、本発明に係るテレビジョン受信機は、画像信号と、例えばＥＰＧ情報等のサービス情報信号とを含むデジタルテレビジョン信号を受信するチューナと、前記チューナで受信された画像信号とサービス情報信号とを復調するデジタル復調器と、前記デジタル復調器で復調された画像信号とサービス情報信号とをデコードするデジタルデコーダと、前記デコードされた画像信号に対応する第１の画像と前記デコードされたサービス情報信号に対応する第２の画像とが重畳されて表示され得る表示部と、前記第１の画像と前記第２の画像との重畳期間を検出し、該重畳期間を示す制御信号を出力する検出手段と、表示画像の色の濃さを調整するためのユーザ調整回路と、前記検出手段からの制御信号に基づいて、前記重畳期間において前記ユーザ調整回路によるユーザ調整を防止する防止手段と、を有することを特徴とする。
【００１１】
また、本発明に係るテレビジョン受信機は、デジタルテレビジョン信号として、画像信号とサービス情報信号とを受信するチューナと、前記チューナで受信された画像信号とサービス情報信号とを復調するデジタル復調器と、前記デジタル復調器で復調された画像信号とサービス情報信号とをデコードするデジタルデコーダと、前記デコードされた画像信号に対応する第１の画像と前記デコードされたサービス情報信号に対応する第２の画像とが重畳されて表示され得る表示部と、表示画像の色の濃さを調整するためのユーザ調整回路と、前記表示部に前記第１の画像と前記第２の画像とが重畳されて表示されているときは、該第２の画像に対して前記ユーザ調整回路によるユーザ調整を防止する防止手段と、を有することを特徴とする。
【００２０】
【発明の実施の形態】
以下、本発明の各実施形態を図１ないし図５を参照して説明する。
〔実施の形態  １〕
図１は、本発明の一実施形態に係る高細精度表示装置の略示ブロック図、図２は、本発明の一実施形態に係る高細精度表示装置の略示ブロック図、図３は、本発明の一実施形態に係る高細精度表示装置の略示ブロック図、図４は、本発明の一実施形態に係る高細精度表示装置の略示ブロック図、図５は、本発明の一実施形態に係る高細精度表示装置の略示ブロック図である。
【００２１】
図１において、１はチューナ、３はデジタル復調器、４はデジタルデコーダ、７はビデオ・クロマ処理回路、７ａは画質調整回路、Ｒａは調整部、９は出力器、１３は切換スイッチ、２０はアンテナ、Ｓ1は、デジタルデコーダで検出されるＰＩ信号とＳＩ信号との重畳期間を示すＯＮ／ＯＦＦ信号である。
【００２２】
図において、送信元において、ＤＣＴ処理され、量子化され、符号化されたＰＩ信号とＳＩ信号を混合した伝送電波は、アンテナ２０に入力される。例えば、伝送電波に１２ＧＨｚ帯のＳＨＦが用いられた場合でも、一般的には直径２０〜３０ｃｍのパラボラアンテナで受信できる。
前記アンテナ２０から供給される信号をチューナ１で受信しようとする電波を選択し・増幅し、周波数変換する。前記チューナ１は、ＬＣ共振回路の可変容量ダイオードと前記ＬＣ共振回路のＬを切り換えるスイッチングダイオードを用いて、同調周波数を電子切換えする電子チューナを用いられている。
【００２３】
前記周波数変換されたＰＩ信号とＳＩ信号は、デジタル復調器３で同期検波もしくは遅延検波が用いられ、送信時のデジタル変調方式、例えば、ＶＳＢ、ＡＳＫ、ＦＳＫ、ＰＳＫ、ＱＡＭ、ＦＤＭの各方式に対応して復調される。このとき、伝送中の外部からの影響により生じた伝送誤りの訂正もなされる。
【００２４】
復調させたデジタル信号、ＰＩ信号とＳＩ信号共に、例えば、ＭＰＥＧ方式では、パケットデータ構造でデジタルデコーダ４に入力するので両者の弁別が可能となる。前記デジタルデコーダ４で、ＰＩ信号とＳＩ信号を復号化し、前記復号化したＰＩ信号が、静止系信号、動き系信号別に周波数変換等の処理がなされ、Ｄ／Ａ変換器でアナログ信号となり、Ｙ、Ｕ、Ｖ信号として出力される。
【００２５】
一方、ＳＩ信号、例えばＥＰＧ信号もデータ信号として、前記ＰＩ信号にレイヤされて出力される。この場合において、ＰＩ信号とＳＩ信号の重畳期間が、前記デジタルデコーダ４でパケットデータ構造のタイミングより検出され、ＯＮ／ＯＦＦ信号Ｓ1として外部に出力される。
【００２６】
前記デジタルデコーダ４からＹ、Ｕ、Ｖ信号は、ビデオ・クロマ処理回路７に入力される。前記ビデオ・クロマ処理回路７では、Ｙ、Ｕ、Ｖ信号が入力され、個々には図示しないが色濃度調整回路と、色相調整回路と、明るさ調整回路とからなる画質調整回路７ａを経てＲ、Ｇ、Ｂ信号として出力される。前記ビデオ・クロマ処理回路７からの信号が出力回路９で増幅され、ブラウン管等のディスプレイ表示装置１１に入力され、当該ディスプレイ表示装置１１を駆動する。
【００２７】
前記画質調整は、前記色濃度および色相調整および明るさ調整の各調整回路の増幅度を調整することにより、ユーザコントロールによってなされるものであるが、前記ユーザコントロールの操作部に切換スイッチ１３を設け、当該切換スイッチ１３を、前記ＰＩ信号とＳＩ信号の重畳期間検出ＯＮ／ＯＦＦ信号Ｓ1で動作させるようになっている。
また、前記ビデオ・クロマ処理回路７からの色差信号が出力回路９でビーム電流ｍとなり、同期・偏向回路を経て、受像回路に入力され、画像が形成されていた。
【００２８】
上記構成の高細度表示装置の機能を説明する。
高細度表示装置では、ＰＩ信号とＳＩ信号の重畳期間を示すＯＮ／ＯＦＦ信号Ｓ1をデジタルデコーダ４内でタイミング制御により検出する。また、前記の如く、ビデオ・クロマ回路７内の画質調整回路７ａに調整部Ｒａを経て接続されているユーザコントロールの操作部に切換スイッチ１３が設けられている。
【００２９】
前記ＯＮ／ＯＦＦ信号Ｓ1が「ＯＮ」、すなわち両信号が重畳している場合(以下、「ＯＮ」という)には、前記スイッチ１３を図示左側に動作させ、ユーザコントロール側が「切」の位置となり、ユーザコントロールにより色の濃さと輝度のコントロールを不可能とするものである。
【００３０】
前記ＯＮ／ＯＦＦ信号Ｓ1が「ＯＦＦ」、すなわち両信号が重畳していない場合(以下、「ＯＦＦ」という)には、前記スイッチ１３を図示右側に動作させ、ユーザコントロール側が「入」の位置となり、通常のユーザコントロールにより色の濃さと輝度のコントロールを可能とするものである。
このようにして、ＳＩ信号がある場合にはユーザコントロールをすることができない。したがって、ＰＩ信号の調整による画質調整の影響で、ＳＩ信号の画面表示が消失することがない。
【００３１】
本発明に係る高細度表示装置は、上記構成の図１の〔実施形態〕で説明した高細度表示装置に限定されるものでなく、他の多くの実施形態があり、いずれも本発明の技術思想に含まれるものである。以下、図２ないし図５を参照して、他の実施形態の数例を説明する。
【００３２】
〔実施形態  ２〕
図２を参照して、本発明に係る高細度表示装置の他の実施形態を説明する。
図２において、高細度表示装置で、ビデオ・クロマ回路７内でＰＩ信号とＳＩ信号を画質調整回路７ａの前段部に分離部７ｃを設け、ＰＩ信号とＳＩ信号が、当該分離部７ｃで分離される。さらに、前記ビデオ・クロマ回路７と出力回路９間の接続部に切換スイッチ１３ａを設けると共に、前記画像信号ＰＩとＳＩ信号の分離部７ｃと前記切換スイッチ１３ａ間に、前記ＳＩ信号のバイパス回路１５が設けられている。
【００３３】
上記構成において、デジタルデコーダ４内でタイミング制御により検出した前記重畳期間を示すＯＮ／ＯＦＦ信号Ｓ1の「ＯＮ」により、切換スイッチ１３ａを図示点線で示す下側に位置させ、前記バイパス回路１５が「入」の位置となり、前記バイパス回路１５を介して前記ＳＩ信号のみが出力器９に入力させる。したがって、ＳＩ表示が消失する恐れがなくなる。
【００３４】
前記ＯＮ／ＯＦＦ信号Ｓ1が「ＯＦＦ」の場合には、切換スイッチ１３ａを図示実線で示す上側に位置させ、前記バイパス回路１５が「切」の位置となり、前記バイパス回路が遮断され、ＰＩ信号のみが出力器９に入力する。そして、通常のユーザコントロールにより、調整部Ｒａを調整することにより画質調整が可能となるものである。
【００３５】
〔実施形態  ３〕
図３を参照して、本発明に係る高細度表示装置のさらに他の実施形態を説明する。
図３において、高細度表示装置で、ディスプレイ表示画面の明るさを検出する検出器として、出力器９の出力ビ−ム電流ｍの検出器を設ける。前記検出は、電源回路９ｂの出力電流を検出することにより容易に可能である。
【００３６】
また、ユーザコントロールで調整されるビデオ・クロマ処理回路７の画質調整回路７ａの調整部Ｒａの接続線に前記重畳期間を示すＯＮ／ＯＦＦ信号Ｓ1で動作する切換スイッチ１３ｂが設けられている。
【００３７】
前記ＯＮ／ＯＦＦ信号Ｓ1が「ＯＮ」の場合、前記切換スイッチ１３ｂが図示左側の点線の位置、出力ビ−ム電流ｍ側と接続する「入」となり、前記出力ビ−ム電流ｍに係る検出値Ｓ2、すなわちディスプレイ表示画面の明るさに応じて、前記調整部Ｒａを調整され、前記ビデオ・クロマ回路７内の画質調整回路７ａが調整される。これにより、周囲状況に応じた画面の調整が可能となる。
【００３８】
前記ＯＮ／ＯＦＦ信号Ｓ1が「ＯＦＦ」の場合には、前記切換スイッチ１３ｂが図示右側の実線の位置、出力ビ−ム電流ｍ側とは遮断される「切」となり、ユーザコントロール側と接続する「入」となり、前記出力ビ−ム電流ｍに係る検出値Ｓ2と前記調整部Ｒａとは無関係となり、通常のユーザコントロールで前記画質調整回路７ａの調整部Ｒａが調整されることになる。
【００３９】
〔実施形態  ４〕
図４を参照して、本発明に係る高細度表示装置のさらに他の実施形態を説明する。
図４においては、高細度表示装置で、ビデオ・クロマ処理回路７内の画質調整回路７ａを調整するユーザコントロールに対して調整部Ｒａと固定部Ｒｂを設け、両者の比により、前記画質調整回路７ａの調整範囲が制限される。さらに、前記固定部Ｒｂの短絡スイッチ１３ｃを設け、前記重畳期間を示すＯＮ／ＯＦＦ信号Ｓ1で、前記短絡スイッチ１３ｃを作動させるようになっている。
【００４０】
前記ＯＮ／ＯＦＦ信号Ｓ1が「ＯＮ」のときは、前記短絡スイッチ１３ｃが図示左側点線の「切」の位置となり、調整部Ｒａと固定部Ｒｂが直列に接続されることになる。そのため、前記画質調整回路７ａの調整範囲が制限を受ける。
このようにすることにより、画質調整により画面の消失を生ずる恐れがなくなる。
【００４１】
前記ＯＮ／ＯＦＦ信号Ｓ1が「ＯＦＦ」の場合は、前記短絡スイッチ１３ｃが図示右側実線の「入」の位置となり、前記固定部Ｒｂが短絡され、調整部Ｒａのみにより、通常のユーザコントロールで前記ビデオ・クロマ回路７内の画質調整回路７ａが調整されることになる。
【００４２】
〔実施形態  ５〕
図５を参照して、本発明に係る高細度表示装置のさらに他の実施形態を説明する。
図５においては、高細度表示装置で、ビデオ・クロマ処理回路７内の画質調整回路を調整する調整部Ｒａに対して切換スイッチ１３ｄを設け、当該切換スイッチ１３ｄの固定接点部をユーザコントロールの一の端子に、当該切換スイッチ１３ｄの切換接点部の一を調整部Ｒａ側に、切換接点部の他の一を出力回路９のバイアス回路９ａ側と接続したものである。
【００４３】
前記切換スイッチ１３ｄを前記重畳期間を示すＯＮ／ＯＦＦ信号Ｓ1が「ＯＮ」の場合は、図示右側点線の位置となり、前記バイアス回路９ａを調整することにより出力器９の動作点が調整され、ビーム電流ｍが変化し、ＰＩ信号とＳＩ信号が表示する画像全体として調整されることになる。したがって、画質調整により
、ＳＩ情報の表示が消失することはなく、周囲状況に応じた画面の調整も可能となる。
【００４４】
前記ＯＮ／ＯＦＦ信号Ｓ1が「ＯＦＦ」の場合は、図示右側実線の位置となり、通常のユーザコントロールで、前記調整部Ｒａを調整することにより、前記ビデオ・クロマ回路７内の画質調整回路７ａが調整されることになる。
なお、図示しないが、重畳期間を示すＯＮ／ＯＦＦ信号Ｓ1により自己保持機構を用い、当該ＯＮ／ＯＦＦ信号Ｓ1で出力器９の動作点が調整しても差し支えない。
【００４５】
【発明の効果】
以上、詳細に説明したように、本発明の構成によれば、ＰＩ信号と、前記ＰＩ信号を選択するためのＳＩ信号とが重畳されている場合に、ＳＩ信号をＰＩ信号とは無関係に、且つ周囲状況に応じて制御することができる高細精度表示装置及び高細精度受信方法を提供することができる。
【図面の簡単な説明】
【図１】本発明の一実施形態に係る高細精度表示装置の略示ブロック図である。
【図２】本発明の一実施形態に係る高細精度表示装置の略示ブロック図である。
【図３】本発明の一実施形態に係る高細精度表示装置の略示ブロック図である。
【図４】本発明の一実施形態に係る高細精度表示装置の略示ブロック図
【図５】本発明の一実施形態に係る高細精度表示装置の略示ブロック図である。
【図６】従来のテレビ受信機の略示ブロック図である。
【符号の説明】
１…チューナ
３…デジタル復調器
４…デジタルデコーダ
７…ビデオ・クロマ処理回路
９…出力器
１３…切換スイッチ
１３ａ…切換スイッチ
１３ｂ…切換スイッチ
１３ｃ…短絡スイッチ
１３ｄ…切換スイッチ
１５…バイパス回路
２０…アンテナ
Ｒａ…調整部
Ｒｂ…固定部
Ｍ…マイコン
ｍ…出力器からのビーム電流
Ｓ1…ＰＩ信号とＳＩ信号の重畳期間を示すＯＮ／ＯＦＦ信号
Ｓ2…ビーム電流の検出信号
【図１】
0004045204.tif 000002
【図２】
0004045204.tif 000003
【図３】
0004045204.tif 000004
【図４】
0004045204.tif 000005
【図５】
0004045204.tif 000006
【図６】
0004045204.tif 000007